(57)【特許請求の範囲】
【請求項１】
（１）ライム油（蒸留）、マンダリン油、タンジェリン油およびローズ油、（２）シナモンリーフ油、クローブ油、ナツメグ油およびライム油（圧搾）、（３）クローブ油、ナツメグ油、タイム油、ジンジャー油およびガーリック油、のいずれか１つの天然精油の混合物であって、前記天然精油をそれぞれ単独で使用する場合の個々のオラック値の合計量に対し、前記天然精油の混合物のオラック値が２０〜４０％高いことを特徴とする、食品に１μｍｏｌＴＥ／ｇ以上のオラック値を付与するオラック値付与香料組成物。
【請求項２】
次の（１）〜（３）のいずれか１つの天然精油の混合物であるオラック値付与香料組成物を食品に添加し、オラック値を付与する方法であって、前記天然精油をそれぞれ単独で使用する場合の個々のオラック値の合計量に対し、前記天然精油の混合物のオラック値が２０〜４０％高いことを特徴とする、食品に１μｍｏｌＴＥ／ｇ以上のオラック値を付与する方法：
（１）ライム油（蒸留）、マンダリン油、タンジェリン油およびローズ油
（２）シナモンリーフ油、クローブ油、ナツメグ油およびライム油（圧搾）
（３）クローブ油、ナツメグ油、タイム油、ジンジャー油およびガーリック油
【請求項３】
（１）ライム油（蒸留）、マンダリン油、タンジェリン油およびローズ油、（２）シナモンリーフ油、クローブ油、ナツメグ油およびライム油（圧搾）、および、（３）クローブ油、ナツメグ油、タイム油、ジンジャー油およびガーリック油、のいずれか１つの天然精油の混合物に、さらに、チモール、ｐ−クレゾール、ｐ−アリルフェノール、オイゲノール、クレオソール、グアイアコール、イソオイゲノール、２，６−ジメトキシ−４−メチルフェノール、デヒドロジクレオソール、２，６−ジメトキシフェノールからなる群より選ばれる１種または２種以上の香料化合物を添加した混合物であるオラック値付与香料組成物を食品に添加し、オラック値を付与する方法であって、前記天然精油および香料化合物をそれぞれ単独で使用する場合の個々のオラック値の合計量に対し、前記天然精油および香料化合物の混合物のオラック値が２０〜４０％高いことを特徴とする、食品に１μｍｏｌＴＥ／ｇ以上のオラック値を付与する方法。
【発明の詳細な説明】
【技術分野】
【０００１】
本発明は、食品に１μｍｏｌＴＥ／ｇ以上のオラック値を付与することのできる香料組成物に関する。
【背景技術】
【０００２】
最近、食品の抗酸化物質の含有量を示す指標としてオラック値（ＯＲＡＣ、以後、本発明ではオラック、オラック値を用いる）という新しい概念が提唱され、世界的に普及しつつある。ＯＲＡＣはOxygen Radical Absorbance Capacityの頭文字を取ったもので、活性酸素吸収能力とも呼ばれ、測定法も確立されている。この概念を開発したのは米国農務省（USDA）と米国国立老化研究所（National Institute on Aging）であり、既に食品やサプリメントでは注目がされており、米国ではオラック値を表記した食品もかなり上市されている。
【０００３】
食品などに含まれる抗酸化物質である、カテキン、アントシアニン、プロアントシアニジン、クロロゲン酸、イソフラボン、クルクミン、ルチンその他のポリフェノール、ビタミンＣ、ビタミンＥなどがオラック値を示す物質であるとされ、種々の食品のオラック値が測定されている（非特許文献１）。オラック値は、測定を行う食品等の活性酸素吸収能力をビタミンＥ様物質であるＴｒｏｌｏｘ（6-Hydroxy-2,5,7,8-tetramethylchroman-2-carboxylic acid）に換算して表わされ、単位はμｍｏｌＴＥ／ｇである（ただしＴＥ＝Trolox Equivalent）。親油性のオラック値はＬ−ＯＲＡＣ、親水性のオラック値はＨ−ＯＲＡＣと呼ばれ、別々に測定することが可能である。一方だけの測定値あるいはその合計値をオラック値として採用する（非特許文献１）。
【０００４】
これらの測定結果はデータベースとして良くまとめられている（非特許文献１）。これによれば、ナッツ、豆類、野菜類、果実類、スパイス類のオラック値が測定されており、ナッツ、豆類、野菜類、果実類のオラック値はおおよそ、５〜１００（μｍｏｌＴＥ／ｇ）の範囲内の数値、スパイス類は５０〜３０００（μｍｏｌＴＥ／ｇ）の範囲内の数値が示されている。
【０００５】
一方、日本では厚生労働省の国民健康・栄養調査報告に「健康日本２１」の目標値（２０１０年）野菜摂取量成人３５０ｇであり、これはオラック値に換算すると４０００〜５０００（μｍｏｌＴＥ）程度になる。しかしながら、現代人の生活習慣においてこれら食品をバランス良く摂取し、上記オラック値の達成を実現することは、容易ではないと言わざるを得ない。
【０００６】
そこで、これらを補う手段の一つとして、これまでは、野菜・果実ジュースなどを飲用することが行われているが、いかにその嗜好性を高めるとしても毎日、摂取を続けるには個人差が大きく、過剰な糖分の摂取等を考慮すれば、自ずと摂取にも限界があった。
【０００７】
一方、別の方法として、カテキン、アントシアニン、プロアントシアニジン、クロロゲン酸、イソフラボン、クルクミン、ルチンその他のポリフェノール、ビタミンＣ、ビタミンＥなどを単離または濃縮して食品に加えたり、サプリメントとして補助的に摂取することも行われている。しかしながら、これらを含有する食品、あるいはサプリメントの摂取には、味覚の問題、特定の天然成分の過剰摂取の問題などがあり、やはり、摂取に限界があった。したがって、オラック値の摂取に関してこれらに代わる良い解決方法が求められていた。
【０００８】
オラック値は新しい概念であり、これに関する提案はまだ少ない。例えば、（１）水、大豆タンパク質、ならびにエンドペプチターゼ活性およびエキソペプチターゼ活性の両方を有する酵素もしくは酵素の混合物を含む加水分解混合物を調製するステップと、（２）大豆タンパク質を十分な時間加水分解させて、少なくとも約１５パーセントの可溶性大豆タンパク質を含有する大豆タンパク質加水分解物を作製するステップと、（３）大豆タンパク質加水分解物中で苦い風味が顕著になる前に、大豆タンパク質加水分解物中の酵素もしくは酵素の混合物を不活性化させるステップにより、可溶性大豆タンパク質材料を得る提案中の請求項１４に示された、グラム当たり約５０〜約５００の全ＯＲＡＣ単位の抗酸化力を有する可溶性大豆タンパク質材料の提案（特許文献１）、約３５０μｍｏｌＴＥ／ｇ総質量より大きいＯＲＡＣ値を有する、高い抗酸化能及びシクロオキシゲナーゼ阻害活性を伴うアサイ果実及びジュカラ果実の組成物、並びにそれらを使用する栄養補助食品の提案（特許文献２）がある。
【０００９】
しかしながら、上記提案は大豆、アサイ果実及びジュカラ果実などから得られるオラック値の高い組成物を利用する技術であり、香料などの揮発性物質を利用する提案ではない。
【先行技術文献】
【特許文献】
【００１０】
【特許文献１】特開２００５−８０６６８号公報
【特許文献２】特表２００６−５２０８０４号公報
【非特許文献】
【００１１】
【非特許文献１】Ａｎｔｉｏｘｉｄａｎｔ  Ｕｎｉｔ研究会ホームページ、www.antioxidant-unit.com
【発明の概要】
【発明が解決しようとする課題】
【００１２】
本発明は、食品に添加した際に、食品に１μｍｏｌＴＥ／ｇ以上のオラック値を付与することのできる香料組成物に関する。
【課題を解決するための手段】
【００１３】
通常、食品から摂取できる抗酸化物質と言えば、不揮発性物質を意味し、専らその研究も不揮発性物質に限定されていた。揮発性物質であれば、流通過程、あるいは加熱などの調理の過程で空気中に散逸するか、分解等により、人が摂取する可能性が低いと考えられることもその一因である。したがって、揮発性物質についてオラック値を報告したものは本発明者が調べる限り見つかっていない。まして、揮発性物質のうち、天然の食品中に微量に存在する香料成分について、オラック値を測定するという発想はもちろんなく、報告した文献もない。
【００１４】
本発明者らは、これまで、食品から摂取できる抗酸化物質と言えば、具体的には、カテキン、アントシアニン、プロアントシアニジン、クロロゲン酸、イソフラボン、クルクミン、ルチンその他のポリフェノール、ビタミンＣ、ビタミンＥなどであり、抗酸化力の指標であるオラック値の研究もこれらの不揮発性物質を対象に行われた事実を認識した上で、これまで注目されることのなかった、食品あるいはその他の天然物中に存在する揮発性物質も抗酸化力を有する可能性があり、オラック値を持っているのではないかと考え、種々の香料のオラック値を測定した。
【００１５】
その結果、驚くべきことに、天然精油、あるいはこれら中に存在する香料成分は、これまでオラック値が測定された食品に比べ、非常に高いオラック値（１００〜４１０００μｍｏｌＴＥ／ｇ）を有することを見出すと共に、これらを香料組成物とした場合、オラック値について相乗効果が認められ、食品に添加することにより、食品に実質的にオラック値を付与または増強することができることを確認し、本発明を完成させた。
【００１６】
かくして、本発明は、（１）ライム油（蒸留）、マンダリン油、タンジェリン油およびローズ油、（２）シナモンリーフ油、クローブ油、ナツメグ油およびライム油（圧搾）、（３）クローブ油、ナツメグ油、タイム油、ジンジャー油およびガーリック油、のいずれか１つの天然精油の混合物であって、前記天然精油をそれぞれ単独で使用する場合の個々のオラック値の合計量に対し、前記天然精油の混合物のオラック値が２０〜４０％高い、食品に１μｍｏｌＴＥ／ｇ以上のオラック値を付与するオラック値付与香料組成物を提供するものである。
【００１７】
また、本発明は、（１）ライム油（蒸留）、マンダリン油、タンジェリン油およびローズ油、（２）シナモンリーフ油、クローブ油、ナツメグ油およびライム油（圧搾）、（３）クローブ油、ナツメグ油、タイム油、ジンジャー油およびガーリック油、のいずれか１つの天然精油の混合物であるオラック値付与香料組成物を食品に添加し、オラック値を付与する方法であって、前記天然精油をそれぞれ単独で使用する場合の個々のオラック値の合計量に対し、前記天然精油の混合物のオラック値が２０〜４０％高いことを特徴とする、食品に１μｍｏｌＴＥ／ｇ以上のオラック値を付与する方法を提供するものである。
【００１８】
また、本発明は、（１）ライム油（蒸留）、マンダリン油、タンジェリン油およびローズ油、（２）シナモンリーフ油、クローブ油、ナツメグ油およびライム油（圧搾）、および、（３）クローブ油、ナツメグ油、タイム油、ジンジャー油およびガーリック油、のいずれか１つの天然精油の混合物に、さらに、チモール、ｐ−クレゾール、ｐ−アリルフェノール、オイゲノール、クレオソール、グアイアコール、イソオイゲノール、２，６−ジメトキシ−４−メチルフェノール、デヒドロジクレオソール、２，６−ジメトキシフェノールからなる群より選ばれる１種または２種以上の香料化合物を添加した混合物であるオラック値付与香料組成物を食品に添加し、オラック値を付与する方法であって、前記天然精油および香料化合物をそれぞれ単独で使用する場合の個々のオラック値の合計量に対し、前記天然精油および香料化合物の混合物のオラック値が２０〜４０％高い、食品に１μｍｏｌＴＥ／ｇ以上のオラック値を付与する方法を提供するものである。
【発明の効果】
【００１９】
本発明によれば、本来の目的である食品への香気付与とともに、食品に１μｍｏｌＴＥ／ｇ以上のオラック値、すなわち、実質的に食品のオラック値を増加させる目的で香料組成物を使用することができ、香料の新たな切り口、利用の可能性を拡げることが可能である。また、香料組成物の添加量は他の食品成分に比べ、はるかに少ない量ですみ利便性が高いため、新規加工食品の開発が容易である。
【図面の簡単な説明】
【００２０】
【図１】図１オラック法のサンプル調製法の説明図である。（実施例１）
【図２】図２はオラック法の測定法の説明図である。（実施例１）
【発明を実施するための形態】
【００２１】
以下、本発明についてさらに詳細に説明する。
【００２２】
本発明で使用するオラック値の測定方法について説明する。天然精油、合成香料などの香料は、親油性のものもあれば、親水性のものもある。したがって、以下に示すような２通りの測定法を用いる。ただし、一般には親油性のオラック値であるＬ−ＯＲＡＣの測定結果をオラック値とする場合が多い。
【００２３】
まず、親油性のオラック値であるＬ−ＯＲＡＣの測定法の手順は、以下の通りである。
すなわち、９６穴プレートに各試料の７％ＲＭＣＤ（Random methylated cyclodextrin）アセトン水溶液による希釈液を２５μl 分注する。さらに、９４．４ｎＭフルオロセイン溶液を１５０μｌ添加し、３７℃に１０分間保持した後、蛍光強度（励起波長：８４５ｎｍ近傍、検出波長：５２０ｎｍ近傍）を測定する。２００ｍＭのＡＡＰＨ（2,2'-Azobis(2-amidinopropane)dihydrochloride）溶液を２５μl添加し、１分置きに９０分後まで蛍光プレートリーダーにて蛍光強度をプロットし、曲線下面積（ＡＵＣ：Area Under the Curve）を計算する。試料存在下のＡＵＣから非存在下のＡＵＣを差し引いたｎｅｔ  ＡＵＣは試料の抗酸化能に比例して増大する。濃度既知のＴｒｏｌｏｘのｎｅｔ  ＡＵＣから検量線を作成し、試料の抗酸化能をＴｒｏｌｏｘ等量で算出する（以下、Ｌ−ＯＲＡＣ測定法と呼ぶ）。
【００２４】
次に、親水性のオラック値であるＨ−ＯＲＡＣの測定法の手順は、以下の通りである。まず、９６穴プレートに各試料の７５ｍＭリン酸緩衝液（ｐＨ７．０）希釈溶液を２０μl 分注する。さらに、９４．４ｎＭフルオロセイン溶液を２００μｌ添加し、３７℃に１０分間保持した後、蛍光強度（励起波長：８４５ｎｍ近傍、検出波長：５２０ｎｍ近傍）を測定する。３１．７ｍＭのＡＡＰＨ（2,2'-Azobis(2-amidinopropane) dihydrochloride）溶液を７５μl添加し、２分置きに９０分後まで蛍光プレートリーダーにて蛍光強度をプロットし、曲線下面積（ＡＵＣ：Area Under the Curve）を計算する。試料存在下のＡＵＣから非存在下のＡＵＣを差し引いたｎｅｔ  ＡＵＣは試料の抗酸化能に比例して増大する。濃度既知のＴｒｏｌｏｘのｎｅｔ  ＡＵＣから検量線を作成し、試料の抗酸化能をＴｒｏｌｏｘ等量で算出する（以下、Ｈ−ＯＲＡＣ測定法と呼ぶ）。
【００２５】
本発明で使用するオラック値を有する原料は、シナモンリーフ油、クローブ油、ジンジャー油、タイム油、ナツメグ油、ガーリック油、ローズ油、ライム油（蒸留）、ライム油（圧搾）、タンジェリン油、マンダリン油、チモ−ル、ｐ−クレゾール、ｐ−アリルフェノール、オイゲノール、クレオソール、グアイアコール、イソオイゲノール、２，６−ジメトキシ−４−メチルフェノール、デヒドロジクレオソール、２，６−ジメトキシフェノールおよびこれらの混合物を挙げることができる。
【００２６】
上記の天然香料の一般的なオラック値の範囲としては、スパイス精油またはハーブ精油：１５０〜４２０００（μｍｏｌＴＥ／ｇ）、その多くは１０００〜４２０００（μｍｏｌＴＥ／ｇ）、花精油：２６００〜５５００（μｍｏｌＴＥ／ｇ）、柑橘油：５００〜２７００（μｍｏｌＴＥ／ｇ）、香料化合物：１７００〜２５０００（μｍｏｌＴＥ／ｇ）を挙げることができるが、使用する香料原料のオラック値を測定して、所望のオラック値を有する香料組成物を調製するのに適切な原料とその配合割合を決定すればよい。
【００２７】
上記の香料原料を混合したオラック値付与剤のオラック値は、香料原料をそれぞれ単独に測定し、合計して得られるオラック値に比べ、２０〜４０％高い値を示す。科学的な理由は判明していないが、単独成分に比べ、香料原料を混合したオラック値付与剤とした場合、単独のオラック値の合計値より高い抗酸化力を発揮する、すなわち、相乗効果が見られることが判明している。
また、得られるオラック値付与剤のオラック値の範囲は、香りの質、強度によっても左右されるが、一般には１００〜１００００（μｍｏｌＴＥ／ｇ）、好ましくは１０００〜５０００（μｍｏｌＴＥ／ｇ）程度とすれば、食品に添加した場合、食品のオラック値を実質的に増加させることができる。
【００２８】
上記以外のオラック値が０以上〜１００未満の香料原料も、上記原料との配合量を考慮すれば使用することができ、製品の香気香味のプロフィールを所望のものとするために自在に調合（配合）することが可能である。また、これらの香料原料の添加によるオラック値の相乗効果も期待できる。
【００２９】
上記の香料原料以外の香料原料としては、例えば、「特許庁、周知慣用技術集（香料）第ＩＩ部食品香料、Ｐ８８−１３１、平成１２年１月１４日発行」に記載されている天然精油、天然香料、合成香料のうち、上記の香料原料を除いたものを挙げることができる。具体的には、コーラナッツエキストラクト、コーヒーエキストラクト、ワニラエキストラクト、ココアエキストラクト、紅茶エキストラクトなどの油性のエキストラクト、レジノイドおよびこれらのオレオレジン類など天然香料；“合成香料  化学と商品知識”（２００５年３月２２日増補改訂版発行  印藤元一著  化学工業日報社）等に記載のエステル類、アルコール類、アルデヒド類、ケトン類、フェノール類、エーテル類、ラクトン類、炭化水素類、含窒素及び／又は含硫化合物類、酸類の群から選ばれる少なくとも１種以上の合成香料などが挙げられる。
【００３０】
さらに、香料原料以外の原料を配合することも可能である。例えば、各種の油脂類、色素類、ビタミン類、機能性物質、酸化防止剤；エチレングリコール、プロピレングリコール、ジプロピレングリコール、グリセリン、ヘキシレングリコール、ベンジルベンゾエート、トリエチルシトレート、ジエチルフタレート、ハーコリン、中鎖脂肪酸トリグリセリド、中鎖脂肪酸ジグリセリド等の香料保留剤；前記以外の乳化剤、増粘剤、安定剤などを例示することができる。
【００３１】
さらに、上記香料組成物を種々の形態の製剤として使用することができる。すなわち、香料の製造における適切な方法を用いることにより、エッセンス、油性香料、粉末香料、乳化香料、その他の形態の製剤として使用することができる。
【００３２】
本発明の香料組成物を、一般的には各種の飲食品、例えば、チューインガム、キャンディー、スープ、即席麺、各種飲料、酒類、その他の飲食品、あるいはサプリメントに添加することにより、製品の香気香味の付与と同時にオラック値を増加させることができ、従来の野菜、果実等の飲食によるオラック値の摂取を十分補助、代替することが可能である。その結果、食品の付加価値を著しく増大させると共に、新規食品の開発が可能となる。
【００３３】
以下、本発明を実施例および比較例によりさらに具体的に説明する。
【実施例】
【００３４】
［実施例１］各種精油のオラック値の測定
図１および図２の手順にしたがって、各種精油のオラック値（Ｌ−ＯＲＡＣ）を測定した。結果を表１に示す。
【００３５】
【表１】
0005818410.tif 000002
【００３６】
表１の結果から明らかな通り、スパイス・ハーブ精油のオラック値は、５６〜４１６８３（μｍｏｌＴＥ／ｇ）の範囲内の数値であり、今回の測定では、１００（μｍｏｌＴＥ／ｇ）未満のものはマスタード油のみであった。１０００（μｍｏｌＴＥ／ｇ）以上のオラック値を有するものはスパイス・ハーブ精油全体の約６３．０％を占めていた。また、３０００以上のものも４４．４％であった。
【００３７】
次に花精油も２６３８〜５５２０（μｍｏｌＴＥ／ｇ）の範囲内の数値と非常に高いオラック値を有することが確認された。
【００３８】
次に柑橘精油は、５１５〜２６６８（μｍｏｌＴＥ／ｇ）の範囲内の数値を示していた。
【００３９】
いずれも、食品の一般的なオラック値である５〜１００（μｍｏｌＴＥ／ｇ）に比べるときわめて高い値であった。
【００４０】
［実施例２］各種フェノールのオラック値の測定
図１および図２の手順にしたがって、各種フェノールのオラック値（Ｈ−ＯＲＡＣおよびＬ−ＯＲＡＣ）を測定した。
【００４１】
結果を表２に示す。
【００４２】
【表２】
0005818410.tif 000003
【００４３】
表２の結果より、各種フェノールのＬ−ＯＲＡＣは１６８４〜２４４９６（μｍｏｌＴＥ／ｇ）、Ｈ−ＯＲＡＣが２５００〜２１８８１（μｍｏｌＴＥ／ｇ）であることが確認された。これらの数値は食品の一般的なオラック値である５〜１００（μｍｏｌＴＥ／ｇ）に比べるときわめて高い値であった。
【００４４】
［実施例３］香料組成物の測定
表３の配合量で天然精油を混合し、発明品１〜３の香料組成物を調製した。得られた香料組成物を図１および図２の手順にしたがって、各種精油のオラック値（Ｌ−ＯＲＡＣ）を測定した。結果を表３に示す。
【００４５】
【表３】
0005818410.tif 000004
【００４６】
表３の結果から明らかな通り、発明品１（シトラスフローラル）のオラック測定値は９１２（μｍｏｌＴＥ／ｇ）であった。一方、発明品１の各成分のオラック値を表３に示したが、その合計値は７００（μｍｏｌＴＥ／ｇ）であり、オラック測定値は合計値に比べ、３０．３％数値が高く、調合による高い相乗効果が認められた。
【００４７】
次に、発明品２（スパイシーライム）のオラック測定値は５０６１（μｍｏｌＴＥ／ｇ）であった。一方、発明品２の各成分のオラック値の合計値は４０８２（μｍｏｌＴＥ／ｇ）であり、オラック測定値は合計値に比べ、２４．０％数値が高く、発明品１と同様に調合による高い相乗効果が認められた。
【００４８】
次に、発明品３（スパイスミックス）のオラック測定値は１０３３７（μｍｏｌＴＥ／ｇ）であった。一方、発明品３の各成分のオラック値の合計値は７６５７（μｍｏｌＴＥ／ｇ）であり、オラック測定値は合計値に比べ、３５．０％数値が高く、発明品１、発明品２と同様に調合による高い相乗効果が認められた。
【００４９】
以上の結果を総合すると、天然精油を混合することにより得られる香料組成物（発明品１〜３）のオラック値は、食品の一般的なオラック値である５〜１００（μｍｏｌＴＥ／ｇ）に比べるときわめて高い値（９１２〜６４０５（μｍｏｌＴＥ／ｇ））を有すること、成分の混合により高い相乗効果が得られることが示された。
【００５０】
また、上記香料組成物は飲食品向けに香気が調整されており、食品に添加した際に表３に示した香気の特徴を付与することができる。また、飲食品に添加することにより、食品のオラック値を十分増加させることができる。例えば、香料の添加率が高いガム類に発明品１を０．５〜５％程度添加することにより、オラック値を４．６〜４６（μｍｏｌＴＥ／ｇ）程度高くすることが可能である。また、１回の飲食の量が多い飲料に発明品２を０．０５〜０．５％程度添加することにより、オラック値をそれぞれ、２．５〜２５０（μｍｏｌＴＥ／ｇ）程度高くすることが可能である。また、肉製品に発明品３を０．０５〜０．５％程度添加することにより、オラック値をそれぞれ、３．２〜３２０（μｍｏｌＴＥ／ｇ）程度高くすることが可能である。さらに、実質的に食品成分を含まない香料組成物のみで構成される飲食物でもオラック値の摂取が十分可能であり、新規の食品開発の幅が広がる。
【図１】
0005818410.tif 000005
【図２】
0005818410.tif 000006